(57)【要約】【課題】画面表示される情報コードを用いた情報の伝達に関してセキュリティ性を高め得る構成を提供する。【解決手段】携帯端末３０の制御部３１は、端末側決済処理により、情報伝達用コードＣ１の表示と非表示とが情報伝達用間隔で繰り返される第１表示状態とダミーコードＣ２，Ｃ３の表示と非表示とが上記情報伝達用間隔と異なる間隔で繰り返される第２表示状態とのいずれか一方の表示状態の後に他方の表示状態となるように表示部３３を制御する。そして、情報コード読取装置２０では、撮像部２２の撮像結果に基づいて情報コードの表示と非表示とが繰り返される点滅間隔が計測され、この計測された点滅間隔が上記情報伝達用間隔とみなされる情報コードを解読することで上記決済情報が取得される。【選択図】図４
2018163591.tif 000002
【特許請求の範囲】
【請求項１】
情報コードが画面表示される情報コード表示端末と、前記情報コード表示端末に表示される情報コードを光学的に読み取ることで所定の情報を取得する情報コード読取装置と、を備える情報コード読取システムであって、
前記情報コード表示端末は、
情報コードに前記所定の情報が記録されることで構成される情報伝達用コードと前記所定の情報と異なる情報が記憶される他の情報コードとを表示可能な表示部と、
前記表示部の表示内容を制御する制御部と、
を備え、
前記情報伝達用コードの表示と非表示とが所定の間隔で繰り返される前記表示部の表示状態を第１表示状態、前記他の情報コードの表示と非表示とが前記所定の間隔と異なる間隔で繰り返される前記表示部の表示状態を第２表示状態とするとき、
前記制御部は、前記第１表示状態及び前記第２表示状態のいずれか一方の表示状態の後に他方の表示状態となるように前記表示部を制御し、
前記情報コード読取装置は、
前記表示部により表示される情報コードを撮像可能な装置側撮像部と、
前記装置側撮像部の撮像結果に基づいて前記情報コードの表示と非表示とが繰り返される点滅間隔を計測する装置側計測部と、
前記装置側撮像部により撮像された情報コードを解読可能な解読部と、
を備え、
前記解読部は、前記装置側計測部により計測された前記点滅間隔が前記所定の間隔とみなされる情報コードを解読することで前記所定の情報を解読して取得することを特徴とする情報コード読取システム。
【請求項２】
前記他の情報コードは、２以上用意され、
前記第２表示状態では、前記２以上の他の情報コードごとに表示と非表示とが前記所定の間隔と異なる間隔で繰り返されることを特徴とする請求項１に記載の情報コード読取システム。
【請求項３】
前記制御部は、前記第１表示状態と前記第２表示状態とが交互となるように前記表示部を制御することを特徴とする請求項１又は２に記載の情報コード読取システム。
【請求項４】
情報コードが画面表示される情報コード表示端末と、前記情報コード表示端末に表示される情報コードを光学的に読み取ることで所定の情報を取得する情報コード読取装置と、を備える情報コード読取システムであって、
前記情報コード表示端末は、
情報コードに前記所定の情報が記録されることで構成される情報伝達用コードを表示可能な表示部と、
所定の間隔にて点滅する端末側点滅部と、
前記情報コード読取装置からの要求に応じて前記情報伝達用コードを表示させるように前記表示部を制御する制御部と、
を備え、
前記情報コード読取装置は、
前記表示部により表示される情報コード及び前記端末側点滅部による点滅状態を撮像可能な装置側撮像部と、
前記装置側撮像部の撮像結果に基づいて前記端末側点滅部の点滅間隔を計測する装置側計測部と、
前記装置側計測部により計測された前記点滅間隔が前記所定の間隔とみなされると、前記情報コード表示端末に対して前記情報伝達用コードの表示を要求する要求部と、
前記要求部による前記情報伝達用コードの表示の要求の後に前記装置側撮像部により撮像された情報コードを解読することで前記所定の情報を取得する解読部と、
を備えることを特徴とする情報コード読取システム。
【請求項５】
前記要求部は、前記要求に応じた間隔にて点滅する装置側点滅部を有し、当該点滅に応じて前記情報伝達用コードの表示を要求し、
前記情報コード表示端末は、
前記装置側点滅部による点滅状態を撮像可能な端末側撮像部と、
前記端末側撮像部の撮像結果に基づいて前記装置側点滅部の点滅間隔を計測する端末側計測部と、を備え、
前記制御部は、前記端末側計測部により計測された前記点滅間隔が前記要求に応じた間隔とみなされると、前記情報伝達用コードを表示させるように前記表示部を制御することを特徴とする請求項４に記載の情報コード読取システム。
【請求項６】
情報コードが画面表示される情報コード表示端末と、前記情報コード表示端末に表示される情報コードを光学的に読み取ることで所定の情報を取得する情報コード読取装置と、を備える情報コード読取システムであって、
前記情報コード読取装置は、
所定の間隔にて点滅する装置側点滅部と、
前記情報コード表示端末により表示される情報コードを撮像可能な装置側撮像部と、
前記装置側点滅部による点滅の後に前記装置側撮像部により撮像された情報コードを解読することで前記所定の情報を取得する解読部と、
を備え、
前記情報コード表示端末は、
情報コードに前記所定の情報が記録されることで構成される情報伝達用コードを表示可能な表示部と、
前記装置側点滅部による点滅状態を撮像可能な端末側撮像部と、
前記端末側撮像部の撮像結果に基づいて前記装置側点滅部の点滅間隔を計測する端末側計測部と、
前記端末側計測部により計測された前記点滅間隔が前記所定の間隔とみなされると、前記情報伝達用コードを表示させるように前記表示部を制御する制御部と、
を備えることを特徴とする情報コード読取システム。
【請求項７】
前記制御部は、情報コードに前記所定の間隔に関する情報が記録されることで構成される設定用コードを前記表示部に表示させ、
前記解読部は、前記装置側撮像部により撮像された前記設定用コードを解読することで前記所定の間隔に関する情報を取得することを特徴とする請求項１〜６のいずれか一項に記載の情報コード読取システム。
【発明の詳細な説明】
【技術分野】
【０００１】
本発明は、情報コード読取システムに関するものである。
【背景技術】
【０００２】
現在、バーコードやＱＲコード（登録商標）などの情報コードが様々な用途で使用されており、その使用目的も多様化しつつある。例えば、情報コードに記録される情報を利用して決済等する用途も想定される。このような情報コードを利用する技術として、例えば、下記特許文献１に開示されるシステムが知られている。このシステムでは、決済時に、外交員ＩＤや契約書番号、金額等の所定のデータを送ることでバーコード変換サーバから取得した決済用のバーコードが第１の携帯電話の表示画面に表示される。そして、第１の携帯電話に表示される決済用のバーコードが第２の携帯電話にて読み取られ、その読み取られた解読データが第２の携帯電話からＡＰサーバを介して決済サーバに送信される。そして、決済サーバでの決済処理の結果がＡＰサーバを介して第１の携帯電話や第２の携帯電話に送信されることで決済が完了する。
【先行技術文献】
【特許文献】
【０００３】
【特許文献１】特開２００８−２１７２７７号公報
【発明の概要】
【発明が解決しようとする課題】
【０００４】
ところで、決済等に利用する情報コードには高いセキュリティ性が求められるが、例えば、紙媒体に印刷された情報コードでは、複写機等を利用することで容易に複製することができてしまう。また、上記特許文献１のように、受信した情報コードを画面表示するような構成であっても、その表示された情報コードが他の機器等にて撮像されてしまうとその撮像画像を利用して複製される可能性がある。すなわち、情報コードは、実際に目に見えるものでありその複写も容易であることから、高いセキュリティ性が求められるサービス等において単に表示した情報コードを利用するような構成では、そのサービスの利用者に不安感を与えてしまう虞がある。
【０００５】
本発明は、上述した課題を解決するためになされたものであり、その目的とするところは、画面表示される情報コードを用いた情報の伝達に関してセキュリティ性を高め得る構成を提供することにある。
【課題を解決するための手段】
【０００６】
上記目的を達成するため、特許請求の範囲の請求項１に記載の発明は、
情報コードが画面表示される情報コード表示端末（３０）と、前記情報コード表示端末に表示される情報コードを光学的に読み取ることで所定の情報を取得する情報コード読取装置（２０）と、を備える情報コード読取システム（１０）であって、
前記情報コード表示端末は、
情報コードに前記所定の情報が記録されることで構成される情報伝達用コード（Ｃ１）と前記所定の情報と異なる情報が記憶される他の情報コード（Ｃ２，Ｃ３）とを表示可能な表示部（３３）と、
前記表示部の表示内容を制御する制御部（３１）と、
を備え、
前記情報伝達用コードの表示と非表示とが所定の間隔で繰り返される前記表示部の表示状態を第１表示状態、前記他の情報コードの表示と非表示とが前記所定の間隔と異なる間隔で繰り返される前記表示部の表示状態を第２表示状態とするとき、
前記制御部は、前記第１表示状態及び前記第２表示状態のいずれか一方の表示状態の後に他方の表示状態となるように前記表示部を制御し、
前記情報コード読取装置は、
前記表示部により表示される情報コードを撮像可能な装置側撮像部（２２）と、
前記装置側撮像部の撮像結果に基づいて前記情報コードの表示と非表示とが繰り返される点滅間隔を計測する装置側計測部（２１）と、
前記装置側撮像部により撮像された情報コードを解読可能な解読部（２１）と、
を備え、
前記解読部は、前記装置側計測部により計測された前記点滅間隔が前記所定の間隔とみなされる情報コードを解読することで前記所定の情報を解読して取得することを特徴とする。
【０００７】
また、請求項４に記載の発明は、
情報コードが画面表示される情報コード表示端末（３０）と、前記情報コード表示端末に表示される情報コードを光学的に読み取ることで所定の情報を取得する情報コード読取装置（２０）と、を備える情報コード読取システム（１０）であって、
前記情報コード表示端末は、
情報コードに前記所定の情報が記録されることで構成される情報伝達用コード（Ｃ１）を表示可能な表示部（３３）と、
所定の間隔にて点滅する端末側点滅部（３３）と、
前記情報コード読取装置からの要求に応じて前記情報伝達用コードを表示させるように前記表示部を制御する制御部（３１）と、
を備え、
前記情報コード読取装置は、
前記表示部により表示される情報コード及び前記端末側点滅部による点滅状態を撮像可能な装置側撮像部（２２）と、
前記装置側撮像部の撮像結果に基づいて前記端末側点滅部の点滅間隔を計測する装置側計測部（２１）と、
前記装置側計測部により計測された前記点滅間隔が前記所定の間隔とみなされると、前記情報コード表示端末に対して前記情報伝達用コードの表示を要求する要求部（２４）と、
前記要求部による前記情報伝達用コードの表示の要求の後に前記装置側撮像部により撮像された情報コードを解読することで前記所定の情報を取得する解読部（２１）と、
を備えることを特徴とする。
【０００８】
また、請求項６に記載の発明は、
情報コードが画面表示される情報コード表示端末（３０）と、前記情報コード表示端末に表示される情報コードを光学的に読み取ることで所定の情報を取得する情報コード読取装置（２０）と、を備える情報コード読取システム（１０）であって、
前記情報コード読取装置は、
所定の間隔にて点滅する装置側点滅部（２４）と、
前記情報コード表示端末により表示される情報コードを撮像可能な装置側撮像部（２２）と、
前記装置側点滅部による点滅の後に前記装置側撮像部により撮像された情報コードを解読することで前記所定の情報を取得する解読部（２１）と、
を備え、
前記情報コード表示端末は、
情報コードに前記所定の情報が記録されることで構成される情報伝達用コードを表示可能な表示部（３３）と、
前記装置側点滅部による点滅状態を撮像可能な端末側撮像部（３２）と、
前記端末側撮像部の撮像結果に基づいて前記装置側点滅部の点滅間隔を計測する端末側計測部（３１）と、
前記端末側計測部により計測された前記点滅間隔が前記所定の間隔とみなされると、前記情報伝達用コードを表示させるように前記表示部を制御する制御部（３１）と、
を備えることを特徴とする。
なお、上記各括弧内の符号は、後述する実施形態に記載の具体的手段との対応関係を示すものである。
【発明の効果】
【０００９】
請求項１の発明では、情報コード表示端末の制御部は、情報伝達用コードの表示と非表示とが所定の間隔で繰り返される第１表示状態と他の情報コードの表示と非表示とが上記所定の間隔と異なる間隔で繰り返される第２表示状態とのいずれか一方の表示状態の後に他方の表示状態となるように表示部を制御する。そして、情報コード読取装置では、装置側撮像部の撮像結果に基づいて情報コードの表示と非表示とが繰り返される点滅間隔が装置側計測部により計測され、この計測された点滅間隔が上記所定の間隔とみなされる情報コードを解読部により解読することで上記所定の情報が取得される。
【００１０】
これにより、情報コード表示端末の表示部に表示される情報伝達用コードや他の情報コードが不正に複製されたとしても、紙媒体に複写された情報コードではその情報コード自体を点滅させるように装置側撮像部に撮像させることができないため、情報コード表示端末と異なる媒体等では情報コードの読み取りを利用した情報コード読取装置への上記所定の情報の伝達を防止することができる。特に、仮に、不正に複写等された情報伝達用コード自体を点滅させるように装置側撮像部に撮像させることができたとしても、その点滅間隔が上記所定の間隔とみなされない限り、情報コード読取装置に上記所定の情報が伝達されることもない。したがって、画面表示される情報コードを用いた情報の伝達に関してセキュリティ性を高めることができる。
【００１１】
請求項２の発明では、他の情報コードは、２以上用意され、第２表示状態では、２以上の他の情報コードごとに表示と非表示とが上記所定の間隔と異なる間隔で繰り返される。これにより、情報コード表示端末の表示部には、情報伝達用コードを含めて３種類以上の情報コードが点滅表示されるため、どの情報コードに上記所定の情報が記録されているかわかり難くすることができ、画面表示される情報コードを用いた情報の伝達に関してセキュリティ性をより高めることができる。
【００１２】
請求項３の発明では、制御部は、第１表示状態と第２表示状態とが交互となるように表示部を制御する。これにより、例えば、装置側撮像部により表示部の表示状態が第１表示状態の途中から撮像されたとしても、次の第２表示状態とさらに次の第１表示状態とを順次撮像することができるため、どのタイミングからでも第１表示状態と第２表示状態とを確実に撮像することができる。
【００１３】
請求項４の発明では、情報コード表示端末は、端末側点滅部が所定の間隔にて点滅し、情報コード読取装置からの要求に応じて制御部が情報伝達用コードを表示させるように表示部を制御する。そして、情報コード読取装置では、装置側撮像部の撮像結果に基づいて端末側点滅部の点滅間隔が装置側計測部により計測され、この計測された点滅間隔が上記所定の間隔とみなされると、情報コード表示端末に対して要求部により情報伝達用コードの表示が要求される。そして、要求部による情報伝達用コードの表示の要求の後に装置側撮像部により撮像された情報コードを解読部により解読することで上記所定の情報が取得される。
【００１４】
これにより、端末側点滅部を所定の間隔にて点滅させなければ情報コード読取装置からの要求もなく、情報コード読取装置に情報伝達用コードを読み取らせることができないので、情報コード表示端末と異なる媒体等では情報伝達用コードの読み取りを利用した情報コード読取装置への上記所定の情報が伝達されることもない。したがって、画面表示される情報コードを用いた情報の伝達に関してセキュリティ性を高めることができる。
【００１５】
請求項５の発明では、情報コード読取装置の要求部は、上記要求に応じた間隔にて点滅する装置側点滅部を有し、当該点滅に応じて情報伝達用コードの表示を要求する。情報コード表示端末では、端末側撮像部の撮像結果に基づいて装置側点滅部の点滅間隔が端末側計測部により計測され、この計測された点滅間隔が上記要求に応じた間隔とみなされると、制御部により情報伝達用コードを表示させるように表示部が制御される。
【００１６】
このように、情報コード読取装置は、情報コード表示端末に対して装置側点滅部の点滅間隔により情報伝達用コードの表示を要求できるので、不要に情報伝達用コードが表示されることを防止でき、画面表示される情報コードを用いた情報の伝達に関してセキュリティ性をより高めることができる。
【００１７】
請求項６の発明では、情報コード読取装置において、装置側点滅部による点滅の後に装置側撮像部により撮像された情報コードが解読部により解読されることで所定の情報が取得される。そして、情報コード表示端末では、端末側撮像部の撮像結果に基づいて装置側点滅部の点滅間隔が端末側計測部により計測され、この計測された点滅間隔が上記所定の間隔とみなされると、情報伝達用コードを表示させるように制御部により表示部が制御される。
【００１８】
これにより、情報コード表示端末では、端末側撮像部により上記所定の間隔にて点滅している装置側点滅部が撮像されない限り情報伝達用コードが表示されることもないので、不要に情報伝達用コードが表示されることを防止することができる。したがって、画面表示される情報コードを用いた情報の伝達に関してセキュリティ性を高めることができる。
【００１９】
請求項７の発明では、情報コード表示端末において、情報コードに上記所定の間隔に関する情報が記録されることで構成される設定用コードが表示部に表示され、情報コード読取装置では、装置側撮像部により撮像された設定用コードが解読部により解読されることで上記所定の間隔に関する情報が取得される。
【００２０】
これにより、情報コード読取装置は、情報コード表示端末にて設定される所定の間隔に関する情報を容易に取得でき、情報コード読取装置における所定の間隔の設定等に関して利便性を高めることができる。
【図面の簡単な説明】
【００２１】
【図１】本発明の第１実施形態に係る情報コード読取システムを概念的に例示する説明図である。
【図２】図１の携帯端末の電気的構成を例示するブロック図である。
【図３】図１の情報コード読取装置の電気的構成を例示するブロック図である。
【図４】各情報コードの点滅表示における点滅間隔を説明する説明図である。
【図５】第１実施形態において携帯端末にて実行される端末側決済処理の流れを例示するフローチャートである。
【図６】第１実施形態において情報コード読取装置にて実行される装置側決済処理の流れを例示するフローチャートである。
【図７】第２実施形態において携帯端末にて実行される端末側決済処理の流れを例示するフローチャートである。
【図８】第２実施形態において情報コード読取装置にて実行される装置側決済処理の流れを例示するフローチャートである。
【図９】図９（Ａ）は、携帯端末における表示部の画面自体の点滅表示状態を説明する説明図であり、図９（Ｂ）は、情報伝達用コードが点滅することなく表示部に表示された状態を説明する説明図である。
【図１０】第３実施形態において携帯端末にて実行される端末側決済処理の流れを例示するフローチャートである。
【図１１】第３実施形態において情報コード読取装置にて実行される装置側決済処理の流れを例示するフローチャートである。
【発明を実施するための形態】
【００２２】
［第１実施形態］
以下、本発明に係る情報コード読取システムを具現化した第１実施形態について、図面を参照して説明する。
図１に示す情報コード読取システム１０は、情報コードが画面表示される情報コード表示端末として機能する携帯端末３０と、情報コードを光学的に読み取り可能な情報コード読取装置２０とを備えるシステムである。この情報コード読取システム１０は、携帯端末３０に表示される情報コードを利用して情報コード読取装置２０に伝達する所定の情報に関してセキュリティ性を高めるためのシステムである。本実施形態では、このような高いセキュリティ性を利用して、情報コード読取システム１０を、情報コードの読み取り結果を利用して決済を行う決済システムとして利用している。
【００２３】
まず、情報コード読取装置２０の構成について、図１及び図２を参照して説明する。
情報コード読取装置２０は、コンビニエンスストアや飲食店などの店舗の精算場所にて商品を販売するＰＯＳレジスタ（図示略）の近傍に配置されて、決済時に情報コード等を光学的に読み取ることで携帯端末３０から取得した所定の情報等に関してＰＯＳレジスタ等と通信する据え置き型の決済装置として構成されるものである。
【００２４】
この情報コード読取装置２０は、図２に示すように、ＣＰＵ等からなる制御部２１、受光センサ（例えば、Ｃ−ＭＯＳエリアセンサ、ＣＣＤエリアセンサ等）を備えたカメラとして構成される撮像部２２、液晶表示器などからなる表示部２３、ＬＥＤなどからなる発光部２４、各種操作キーによって構成される操作部２５、ＲＯＭ，ＲＡＭ、不揮発性メモリなどからなる記憶部２６、ＰＯＳレジスタ等の外部機器と有線通信或いは無線通信を行うための通信インタフェースとして構成される通信部２７などを備えている。
【００２５】
図１に示すように、情報コード読取装置２０の外郭を構成する略箱状のケース２８の上面には、読取口２９や発光部２４等が設けられている。特に、発光部２４は、携帯端末３０に画面表示される情報コードを読取口２９に翳した際にその携帯端末３０にて撮像可能な位置に配置されている。撮像部２２は、情報コードを撮像可能な装置側撮像部として、読取口２９に翳された情報コード等からの反射光を受光して撮像するように配置されている。
【００２６】
上述のように構成される情報コード読取装置２０の記憶部２６には、後述する装置側決済処理に関するアプリケーションプログラムが制御部２１により実行可能に予め格納されており、このアプリケーションプログラムが実行されることで、光学的に読み取った情報コードを利用した決済に関する処理が実行される。この装置側決済処理時には、情報コード読取装置２０は、ＰＯＳレジスタ又は所定のネットワーク等を介して接続される決済サーバ（図示略）と通信する。装置側決済処理の詳細な説明については後述する。
【００２７】
次に、携帯端末３０の構成について、図１及び図３を参照して説明する。
携帯端末３０は、情報コードを用いた決済サービスを利用する利用者が所持するスマートフォン等の携帯型の情報端末として構成されるものである。この携帯端末３０は、図３に示すように、ＣＰＵ等からなる制御部３１、受光センサ（例えば、Ｃ−ＭＯＳエリアセンサ、ＣＣＤエリアセンサ等）を備えたカメラとして構成される撮像部３２、液晶表示器などからなる表示部３３、各種操作キーやタッチパネル等（図示略）によって構成される操作部３４、ＲＯＭ，ＲＡＭ、不揮発性メモリなどからなる記憶部３５、情報コード読取装置２０等の外部機器と無線または有線にて通信可能な通信インタフェースとして構成される通信部３６などを備えている。なお、撮像部３２は、「端末側撮像部」の一例に相当し得る。
【００２８】
表示部３３は、制御部３１により制御されて、情報コードや文字情報等を表示可能な端末側表示部として機能し、制御部３１は、表示部３３の表示画面に表示される表示内容を制御する表示制御部として機能する。
【００２９】
記憶部３５には、決済に利用する所定の情報として個人情報や金銭に関する情報等（以下、単に、決済情報ともいう）が決済内容に応じて更新可能に記憶され、端末側決済処理に関するアプリケーションプログラムが制御部３１により実行可能に予め格納されている。このアプリケーションプログラムが制御部３１により実行されることで、記憶部３５に記憶されている決済情報等に基づいて生成された情報コードを利用した端末側決済処理が実施される。この端末側決済処理の詳細な説明については後述する。
【００３０】
次に、情報コードを利用した決済時に、携帯端末３０の制御部３１にて実行される端末側決済処理と、情報コード読取装置２０の制御部２１にて実行される装置側決済処理とについて説明する。
本実施形態では、携帯端末３０では、端末側決済処理時に用いられる情報コードとして、情報伝達用コードＣ１と、２つの他の情報コード（以下、ダミーコードＣ２，Ｃ３ともいう）と、設定用コードが用意される。情報伝達用コードＣ１は、情報コードに上記決済情報が記録されることで構成され、ダミーコードＣ２，Ｃ３は、情報コードに上記決済情報と異なるダミー情報がそれぞれ記憶されて構成される。また、設定用コードは、情報コードに情報伝達用コードＣ１の点滅表示間隔（以下、情報伝達用間隔ともいう）に関する情報が記録されることで構成される。なお、情報伝達用間隔は、「所定の間隔」の一例に相当し得る。
【００３１】
そして、携帯端末３０による端末側決済処理時には、表示部３３は、設定用コードを表示した後、情報伝達用コードＣ１の表示と非表示とが情報伝達用間隔で繰り返される点滅表示状態（以下、第１表示状態ともいう）になった後、ダミーコードＣ２の表示と非表示とが情報伝達用間隔と異なる間隔で繰り返された後にダミーコードＣ３の表示と非表示とが情報伝達用コードＣ１やダミーコードＣ２と異なる間隔で繰り返される点滅表示状態（以下、第２表示状態ともいう）になる。具体的には、例えば、図４に例示するように、表示部３３において、情報伝達用コードＣ１が１秒間（図４のｔ０〜ｔ１参照）にて情報伝達用間隔として１００Ｈｚで点滅表示された後、ダミーコードＣ２が１秒間（図４のｔ１〜ｔ２参照）にて２００Ｈｚで点滅表示された後、ダミーコードＣ３が１秒間（図４のｔ２〜ｔ３参照）にて６０Ｈｚで点滅表示される。なお、本実施形態では、携帯端末３０に点滅表示される情報伝達用コードＣ１やダミーコードＣ２，Ｃ３、設定用コードは、ＱＲコード（登録商標）として表示されるが、これに限らず、他のコード種別の情報コード、例えば、バーコード等の一次元コードや、データマトリックスコード、マキシコード等の二次元コードとして表示されてもよい。
【００３２】
また、情報コード読取装置２０の制御部２１による装置側決済処理では、撮像部２２の撮像結果に基づいて上述のように点滅表示している各情報コードの点滅間隔がそれぞれ計測され、この計測された点滅間隔が上記情報伝達用間隔とみなされる情報コードを情報伝達用コードＣ１と判断する。具体的には、例えば、撮像部２２のシャッターを一定時間開放するように連続的に撮像することで、情報コードの点滅間隔が計測可能な撮像状態になる。この撮像状態において、情報コードを撮像した画像が１又は２以上連続して生成された後、情報コードを撮像していない画像が１又は２以上連続して生成され、このように情報コードを撮像した画像が生成される期間と情報コードを撮像していない画像が生成される期間とが繰り返される間隔に基づいて、その情報コードの点滅間隔が計測される。なお、図４では、情報伝達用コードＣ１が点滅表示される期間（図４のｔ０〜ｔ１参照）において、情報伝達用コードＣ１を撮像した画像が生成される期間を符号Ｔ１ａにて示し、情報伝達用コードＣ１を撮像していない画像が生成される期間を符号Ｔ１ｂにて示す。また、図４では、ダミーコードＣ２が点滅表示される期間（図４のｔ１〜ｔ２参照）において、ダミーコードＣ２を撮像した画像が生成される期間を符号Ｔ２ａにて示し、ダミーコードＣ２を撮像していない画像が生成される期間を符号Ｔ２ｂにて示す。また、図４では、ダミーコードＣ３が点滅表示される期間（図４のｔ２〜ｔ３参照）において、ダミーコードＣ３を撮像した画像が生成される期間を符号Ｔ３ａにて示し、ダミーコードＣ３を撮像していない画像が生成される期間を符号Ｔ３ｂにて示す。なお、上述のように情報コードの点滅間隔を計測する制御部２１は、「装置側計測部」の一例に相当し得る。
【００３３】
以下、本実施形態に係る端末側決済処理および装置側決済処理について、図４〜図６を用いて具体的に詳述する。
まず、携帯端末３０の制御部３１にて実行される端末側決済処理について、図５に示すフローチャート等を用いて詳述する。
【００３４】
来店した利用者が携帯端末３０の操作部３４に対して所定の操作等を行うことで、制御部３１により端末側決済処理が開始されると、まず、記憶部３５に予め記憶される情報伝達用間隔に関する情報が記憶されるように設定用コードが生成され（図５のＳ１０１）、このように生成された設定用コードが表示部３３に表示される（Ｓ１０３）。なお、設定用コードは、ランダムに生成される情報伝達用間隔に関する情報が記憶されるように生成されてもよいし、設定用コードそのものが記憶部３５に予め記憶されてもよい。
【００３５】
利用者は、設定用コードが表示部３３に表示されていることを確認すると、設定用コードが表示された表示部３３を読取口２９に翳す。携帯端末３０では、設定用コードが表示部３３に表示されてから所定時間経過後に、図４に例示するように、表示部３３において、情報伝達用コードＣ１が１秒間にて１００Ｈｚで点滅表示された後、ダミーコードＣ２が１秒間にて２００Ｈｚで点滅表示された後、ダミーコードＣ３が１秒間にて６０Ｈｚで点滅表示される（Ｓ１０５）。このように各情報コードが順次点滅表示された後、本端末側決済処理が終了する。
【００３６】
次に、情報コード読取装置２０の制御部２１にて実行される装置側決済処理について、図６に示すフローチャート等を用いて詳述する。
購入商品に付されたバーコード等の読み取り結果に応じて取引金額等の決済条件が取得されることで、制御部２１により装置側決済処理が開始されると、読取口２９に翳された情報コードを撮像して読み取り可能な状態となり（図６のＳ２０１）、設定用コードが読み取られるまで（Ｓ２０３でＮｏ）、情報コードを読み取り可能な状態が継続される。
【００３７】
そして、携帯端末３０の表示部３３に表示された設定用コードが読取口２９に翳されると、設定用コードの読み取りに成功し（Ｓ２０３でＹｅｓ）、この設定用コードを解読することで、情報伝達用間隔に関する情報が取得される（Ｓ２０５）。
【００３８】
このように情報伝達用間隔に関する情報が取得されると、撮像部２２のシャッターを一定時間開放するように連続的に撮像することで、情報コードの点滅間隔が計測可能な撮像状態になる（Ｓ２０７）。そして、このような撮像状態で生成された各画像に基づいて撮像された各情報コードの点滅間隔がそれぞれ計測される（Ｓ２０９）。図４の例では、最初に撮像された情報コード（情報伝達用コードＣ１）の点滅間隔が１００Ｈｚ、次に撮像された情報コード（ダミーコードＣ２）の点滅間隔が２００Ｈｚ、その次に撮像された情報コード（ダミーコードＣ３）の点滅間隔が６０Ｈｚとして計測される。
【００３９】
このように各情報コードの点滅間隔が計測されると、設定用コードを解読することで取得した情報伝達用間隔に一致するとみなされる点滅間隔が有るか否かについて判定される。上述のような計測結果では、最初の情報コードの点滅間隔が情報伝達用間隔に一致するとみなされて（Ｓ２１１でＹｅｓ）、最初の情報コードが情報伝達用コードＣ１であるとして、この最初の情報コード、すなわち、情報伝達用コードＣ１が解読（デコード）される。この解読により取得された上記決済情報が、ＰＯＳレジスタ等を介して決済サーバ等に出力され（Ｓ２１３）、本装置側決済処理が終了する。なお、上述のように情報伝達用コードＣ１を解読する制御部２１は、情報コードを解読可能な「解読部」の一例に相当し得る。
【００４０】
一方、計測された全ての点滅間隔のいずれもが情報伝達用間隔に一致するとみなされない場合には（Ｓ２１１でＮｏ）、再度各情報コードの点滅間隔を計測する処理が繰り返される。この場合、再度各情報コードの点滅間隔を計測するための処理を行う回数（以下、リトライ回数Ｎともいう）が所定回数Ｎｏ（例えば、Ｎｏ＝３）未満であれば（Ｓ２１５でＮｏ）、インクリメント（Ｎ＝Ｎ＋１）されて（Ｓ２１７）、再度各情報コードの点滅間隔がそれぞれ計測される。なお、リトライ回数Ｎは、装置側決済処理の開始時にＮ＝１に設定されるものとする。そして、計測された全ての点滅間隔のいずれもが情報伝達用間隔に一致するとみなされない状態が継続するために、リトライ回数Ｎが所定回数Ｎｏ以上となると（Ｓ２１５でＹｅｓ）、報知処理がなされ、情報伝達用コードＣ１が撮像されておらず決済処理ができない異常状態であること等が表示部２３の表示等を利用して報知される（Ｓ２１９）。
【００４１】
以上説明したように、本実施形態に係る情報コード読取システム１０では、携帯端末３０の制御部３１は、端末側決済処理により、情報伝達用コードＣ１の表示と非表示とが情報伝達用間隔（所定の間隔）で繰り返される第１表示状態とダミーコードＣ２，Ｃ３の表示と非表示とが上記情報伝達用間隔と異なる間隔で繰り返される第２表示状態とのいずれか一方の表示状態の後に他方の表示状態となるように表示部３３を制御する。そして、情報コード読取装置２０では、撮像部２２の撮像結果に基づいて情報コードの表示と非表示とが繰り返される点滅間隔が計測され、この計測された点滅間隔が上記情報伝達用間隔とみなされる情報コードを解読することで上記決済情報（所定の情報）が取得される。
【００４２】
これにより、携帯端末３０の表示部３３に表示される情報伝達用コードＣ１が不正に複製されたとしても、紙媒体に複写された情報伝達用コードＣ１ではその情報伝達用コードＣ１自体を点滅させるように撮像部２２に撮像させることができないため、携帯端末３０と異なる媒体等では情報コードの読み取りを利用した情報コード読取装置２０への上記決済情報の伝達を防止することができる。特に、仮に、不正に複写等された情報伝達用コードＣ１自体を点滅させるように撮像部２２に撮像させることができたとしても、その点滅間隔が上記情報伝達用間隔とみなされない限り、情報コード読取装置２０に上記決済情報が伝達されることもない。したがって、画面表示される情報コードを用いた情報の伝達に関してセキュリティ性を高めることができる。
【００４３】
特に、他の情報コードとして２つのダミーコードＣ２，Ｃ３が用意され、第２表示状態では、２つのダミーコードＣ２，Ｃ３ごとに表示と非表示とが上記情報伝達用間隔（所定の間隔）と異なる間隔で繰り返される。これにより、携帯端末３０の表示部３３には、情報伝達用コードＣ１を含めて３種類の情報コードが点滅表示されるため、どの情報コードに上記決済情報が記録されているかわかり難くすることができ、画面表示される情報コードを用いた情報の伝達に関してセキュリティ性をより高めることができる。また、ダミーコード（他の情報コード）を２以上用意することでも上記効果を奏する。なお、２つのダミーコードＣ２，Ｃ３を他の情報コードとして採用することに限らず、１つのダミーコードを他の情報コードとして採用してもよい。
【００４４】
さらに、携帯端末３０において、情報コードに上記情報伝達用間隔に関する情報が記録されることで構成される設定用コードが表示部３３に表示され、情報コード読取装置２０では、撮像部２２により撮像された設定用コードが解読されることで上記情報伝達用間隔に関する情報が取得される。
【００４５】
これにより、情報コード読取装置２０は、携帯端末３０にて設定される情報伝達用間隔に関する情報を容易に取得でき、情報コード読取装置２０における情報伝達用間隔の設定等に関して利便性を高めることができる。
【００４６】
なお、携帯端末３０の制御部３１は、第１表示状態と第２表示状態とが交互となるように表示部３３を制御してもよい。具体的には、ダミーコードＣ３の点滅表示の後に、再び情報伝達用コードＣ１の点滅表示を行い、情報伝達用コードＣ１、ダミーコードＣ２、ダミーコードＣ３の順に点滅表示を繰り返してもよい。これにより、例えば、情報コード読取装置２０の撮像部２２により表示部３３の表示状態が第１表示状態の途中から撮像されたとしても、次の第２表示状態とさらに次の第１表示状態とを順次撮像することができるため、どのタイミングからでも第１表示状態と第２表示状態とを確実に撮像することができる。なお、点滅表示する情報コードの順番は、情報伝達用コードＣ１、ダミーコードＣ２、ダミーコードＣ３の順に限らず、例えば、ダミーコードＣ２、情報伝達用コードＣ１、ダミーコードＣ３の順であってもよい。また、上述のように第１表示状態と第２表示状態とが交互となる表示状態は、情報コード読取装置２０から所定の指示が通知されるか所定時間経過するまで継続されてもよい。
【００４７】
また、情報コード読取装置２０の装置側決済処理では、全ての情報コードの点滅状態を撮像した後に各情報コードの点滅間隔を計測して、各点滅間隔の計測結果と情報伝達用間隔とを比較することに限らず、最初に撮像した情報コードの点滅間隔を計測してこの計測結果と情報伝達用間隔とが一致するとみなされる場合には、残りの情報コードの点滅間隔を計測することなく、その情報コードを解読した結果を決済サーバ等に出力してもよい。これにより、常に全ての情報コードの点滅間隔を計測する場合と比較して、情報コードの点滅間隔の計測に関する処理負荷を軽減でき、その処理時間も短縮することができる。
【００４８】
［第２実施形態］
次に、本発明の第２実施形態に係る情報コード読取システムについて、図面を参照して説明する。
本第２実施形態では、携帯端末３０において各情報コードを点滅表示せずに表示部３３の画面自体を点滅表示する点が主に上記第１実施形態と異なる。このため、第１実施形態と実質的に同様の構成部分には同一符号を付して説明を省略する。
【００４９】
本実施形態では、携帯端末３０の表示部３３の画面自体が上記情報伝達用間隔で点滅表示状態となり、この点滅表示状態の点滅間隔を計測した情報コード読取装置２０により情報伝達用コードＣ１の表示が携帯端末３０に対して要求される。この表示要求を受けた携帯端末３０では、表示部３３に情報伝達用コードＣ１が表示され、情報コード読取装置２０では、この情報伝達用コードＣ１を撮像して解読することで上記決済情報が取得される。
【００５０】
ここで、情報コード読取装置２０は、発光部２４を上記表示要求に応じた間隔であって予め決められた間隔（以下、発光要求間隔ともいう）にて点滅させることで、この発光部２４の発光要求間隔とみなされる点滅間隔を計測した携帯端末３０に対して情報伝達用コードＣ１の表示を要求する。このため、携帯端末３０の記憶部３５には、上記発光要求間隔に関する情報が予め記憶されている。そして、携帯端末３０の表示部３３を情報コード読取装置２０の読取口２９に翳した状態では、その携帯端末３０の撮像部３２により情報コード読取装置２０の発光部２４の発光状態が撮像されるようになる（図１参照）。なお、表示部３３は、「端末側点滅部」の一例に相当し、発光部２４は、「装置側点滅部」及び「要求部」の一例に相当し得る。
【００５１】
以下、本実施形態に係る端末側決済処理および装置側決済処理について、図７〜図９を用いて具体的に詳述する。
まず、携帯端末３０の制御部３１にて実行される端末側決済処理について、図７に示すフローチャート等を用いて詳述する。
【００５２】
制御部３１により端末側決済処理が開始されると、上記第１実施形態と同様に、情報伝達用間隔に関する情報が記憶されるように設定用コードが生成され（図７のＳ３０１）、このように生成された設定用コードが表示部３３に表示される（Ｓ３０３）。そして、表示部３３が読取口２９に翳された携帯端末３０では、設定用コードが表示部３３に表示されてから所定時間経過後に、図９（Ａ）に例示するように、表示部３３の画面自体が上記情報伝達用間隔で点滅表示状態となる（Ｓ３０５）。
【００５３】
続いて、携帯端末３０の表示部３３が情報コード読取装置２０の読取口２９に翳されている場合には発光部２４の点滅間隔が撮像部３２により撮像可能な状態となる（Ｓ３０７）。そして、撮像される発光部２４の点滅間隔が発光要求間隔とみなされない場合には、発光要求無しとして（Ｓ３０９でＮｏ）、表示部３３の画面自体の点滅表示状態が継続される（Ｓ３０５）。なお、発光部２４の点滅間隔の計測は、上記第１実施形態にて述べた情報コードの点滅間隔の計測と同様に行うことができ、このように発光部２４の点滅間隔の計測を行う制御部３１は、「端末側計測部」の一例に相当し得る。
【００５４】
そして、表示要求している情報コード読取装置２０の発光部２４を撮像していることから、撮像される発光部２４の点滅間隔が発光要求間隔とみなされる場合には、発光要求有りと判定される（Ｓ３０９でＹｅｓ）。この場合には、図９（Ｂ）に例示するように、情報伝達用コードＣ１が点滅することなく所定時間継続して表示部３３に表示された後（Ｓ３１１）、本端末側決済処理が終了する。
【００５５】
次に、情報コード読取装置２０の制御部２１にて実行される装置側決済処理について、図８に示すフローチャート等を用いて詳述する。
制御部２１により装置側決済処理が開始されると、上記第１実施形態と同様に、情報コードを撮像して読み取り可能な状態となり（図８のＳ４０１）、携帯端末３０の表示部３３に表示された設定用コードが読取口２９に翳されることでその設定用コード読み取りに成功すると（Ｓ４０３でＹｅｓ）、この設定用コードが解読されて情報伝達用間隔に関する情報が取得される（Ｓ４０５）。
【００５６】
続いて、読取口２９に翳された携帯端末３０の表示部３３の画面自体の点滅表示状態を撮像可能な状態となり（Ｓ４０７）、この撮像状態で生成された各画像に基づいて撮像対象の点滅間隔が計測される（Ｓ４０９）。このように撮像対象の点滅間隔が計測されると、この計測された点滅間隔が設定用コードを解読することで取得した情報伝達用間隔に一致するとみなされるか否かについて判定される。
【００５７】
そして、表示部３３の画面自体の点滅表示状態を撮像していることから、撮像対象の点滅間隔が情報伝達用間隔に一致するとみなされると（Ｓ４１１でＹｅｓ）、上記表示要求がなされ、発光部２４が上記発光要求間隔にて点滅する（Ｓ４１３）。その後、この発光部２４の発光要求間隔とみなされる点滅間隔を計測した携帯端末３０の表示部３３に情報伝達用コードＣ１が表示されることでその情報伝達用コードＣ１が撮像部２２により撮像される（Ｓ４１５）。そして、撮像した情報伝達用コードＣ１を解読（デコード）することで上記決済情報が取得され（Ｓ４１７）、このように取得された決済情報がＰＯＳレジスタ等を介して決済サーバ等に出力されて（Ｓ４１９）、本装置側決済処理が終了する。
【００５８】
一方、例えば、上記情報伝達用間隔と異なる間隔にて点滅している画面等の撮像対象を撮像していることから、計測された点滅間隔が情報伝達用間隔に一致するとみなされない場合には（Ｓ４１１でＮｏ）、再度撮像対象の点滅間隔を計測する処理が繰り返される。この場合、上記第１実施形態と同様に、リトライ回数Ｎが所定回数Ｎｏ未満であれば（Ｓ４２１でＮｏ）、インクリメント（Ｎ＝Ｎ＋１）されて（Ｓ４２３）、再度撮像対象の点滅間隔が計測される。そして、計測された点滅間隔が情報伝達用間隔に一致するとみなされない状態が継続するために、リトライ回数Ｎが所定回数Ｎｏ以上となると（Ｓ４２１でＹｅｓ）、報知処理がなされ、情報伝達用間隔にて点滅表示している表示部３３の画面自体が撮像されておらず決済処理ができない異常状態であること等が表示部２３の表示等を利用して報知される（Ｓ４２５）。
【００５９】
以上説明したように、本実施形態に係る情報コード読取システム１０では、携帯端末３０は、端末側点滅部として機能する表示部３３の表示画面が上記情報伝達用間隔にて点滅し、情報コード読取装置２０からの表示要求に応じて制御部３１が情報伝達用コードＣ１を表示させるように表示部３３を制御する。そして、情報コード読取装置２０では、撮像部２２の撮像結果に基づいて表示部３３の画面自体の点滅間隔が計測され、この計測された点滅間隔が上記情報伝達用間隔とみなされると、携帯端末３０に対して発光部２４の点滅間隔に応じて情報伝達用コードの表示が要求される。そして、この表示要求の後に撮像部２２により撮像された情報伝達用コードＣ１を解読することで上記決済情報が取得される。
【００６０】
これにより、表示部３３の表示画面を上記情報伝達用間隔にて点滅させなければ情報コード読取装置２０からの表示要求もなく、情報コード読取装置２０に情報伝達用コードＣ１を読み取らせることができないので、携帯端末３０と異なる媒体等では情報伝達用コードＣ１の読み取りを利用した情報コード読取装置２０への上記決済情報が伝達されることもない。したがって、画面表示される情報コードを用いた情報の伝達に関してセキュリティ性を高めることができる。
【００６１】
特に、情報コード読取装置２０は、要求部として、上記発光要求間隔（要求に応じた間隔）にて点滅する発光部２４を有し、当該点滅に応じて情報伝達用コードＣ１の表示を携帯端末３０に対して要求する。携帯端末３０では、撮像部３２の撮像結果に基づいて発光部２４の点滅間隔が計測され、この計測された点滅間隔が上記発光要求間隔とみなされると、制御部３１により情報伝達用コードＣ１を表示させるように表示部３３が制御される。
【００６２】
このように、情報コード読取装置２０は、携帯端末３０に対して発光部２４の点滅間隔により情報伝達用コードＣ１の表示を要求できるので、不要に情報伝達用コードＣ１が表示されることを防止でき、画面表示される情報コードを用いた情報の伝達に関してセキュリティ性をより高めることができる。
【００６３】
なお、情報コード読取装置２０では、読取口２９に表示部３３が翳された携帯端末３０の撮像部３２にて撮像可能な位置に配置されて点滅制御可能な装置側点滅部を、発光部２４に代えて上記発光要求間隔にて点滅させるように制御してもよい。
【００６４】
また、情報コード読取装置２０での上記表示要求は、発光部２４等の装置側点滅部の点滅間隔を利用して行うことに限らず、例えば、携帯端末３０との無線通信等を利用して行ってもよいし、ブザー音の鳴動間隔など周期的に変化するその変化状態を利用して行ってもよい。
【００６５】
また、携帯端末３０では、読取口２９に表示部３３が翳された情報コード読取装置２０の撮像部２２にて撮像可能な位置に配置されて点滅制御可能な端末側点滅部を、表示部３３の画面自体の点滅に代えて上記情報伝達用間隔にて点滅させるように制御してもよい。
【００６６】
［第３実施形態］
次に、本発明の第３実施形態に係る情報コード読取システムについて、図面を参照して説明する。
本第３実施形態では、携帯端末３０により計測された情報コード読取装置２０の発光部２４の点滅間隔が情報伝達用間隔に一致するとみなされると、携帯端末３０にて情報伝達用コードＣ１が表示される点が主に上記第１実施形態と異なる。このため、第１実施形態と実質的に同様の構成部分には同一符号を付して説明を省略する。
【００６７】
本実施形態では、上述した第１実施形態や第２実施形態と異なり、情報コード読取装置２０にて携帯端末３０での点滅間隔が情報伝達用間隔に一致するか否かについて判定されず、携帯端末３０にて情報コード読取装置２０での点滅間隔が情報伝達用間隔に一致するか否かについて判定される。
【００６８】
以下、本実施形態に係る端末側決済処理および装置側決済処理について、図１０及び図１１を用いて具体的に詳述する。
まず、携帯端末３０の制御部３１にて実行される端末側決済処理について、図１０に示すフローチャート等を用いて詳述する。
【００６９】
制御部３１により端末側決済処理が開始されると、上記第１実施形態と同様に、情報伝達用間隔に関する情報が記憶されるように設定用コードが生成され（図１０のＳ５０１）、このように生成された設定用コードが表示部３３に表示される（Ｓ５０３）。そして、表示部３３が読取口２９に翳された携帯端末３０では、設定用コードが表示部３３に表示されてから所定時間経過後に、撮像対象の点滅表示状態を撮像可能な状態となり（Ｓ５０５）、この撮像状態で生成された各画像に基づいて撮像対象の点滅間隔が計測される（Ｓ５０７）。このように撮像対象の点滅間隔が計測されると、この計測された点滅間隔が上記情報伝達用間隔に一致するとみなされるか否かについて判定される。
【００７０】
そして、発光部２４の点滅状態を撮像していることから、撮像対象の点滅間隔が情報伝達用間隔に一致するとみなされると（Ｓ５０９でＹｅｓ）、情報伝達用コードＣ１が点滅することなく表示部３３に表示され（Ｓ５１１）、この表示状態が所定時間継続した後、本端末側決済処理が終了する。
【００７１】
一方、例えば、上記情報伝達用間隔と異なる間隔にて点滅している発光部等の撮像対象を撮像していることから、計測された点滅間隔が情報伝達用間隔に一致するとみなされない場合には（Ｓ５０９でＮｏ）、再度撮像対象の点滅間隔を計測する処理が繰り返される。この場合、上記第１実施形態と同様に、リトライ回数Ｎが所定回数Ｎｏ未満であれば（Ｓ５１３でＮｏ）、インクリメント（Ｎ＝Ｎ＋１）されて（Ｓ５１５）、再度撮像対象の点滅間隔が計測される。そして、計測された点滅間隔が情報伝達用間隔に一致するとみなされない状態が継続するために、リトライ回数Ｎが所定回数Ｎｏ以上となると（Ｓ５１３でＹｅｓ）、報知処理がなされ、情報伝達用間隔にて点滅表示している発光部２４が撮像されておらず決済処理ができない異常状態であること等が表示部３３の表示等を利用して報知される（Ｓ５１７）。
【００７２】
次に、情報コード読取装置２０の制御部２１にて実行される装置側決済処理について、図１１に示すフローチャート等を用いて詳述する。
制御部２１により装置側決済処理が開始されると、上記第１実施形態と同様に、情報コードを撮像して読み取り可能な状態となり（図１１のＳ６０１）、携帯端末３０の表示部３３に表示された設定用コードが読取口２９に翳されることでその設定用コード読み取りに成功すると（Ｓ６０３でＹｅｓ）、この設定用コードが解読されて情報伝達用間隔に関する情報が取得される（Ｓ６０５）。
【００７３】
続いて、発光部２４が上記情報伝達用間隔にて点滅する（Ｓ６０７）。その後、この発光部２４の情報伝達用間隔とみなされる点滅間隔を計測した携帯端末３０によりその表示部３３に情報伝達用コードＣ１が表示されると、その情報伝達用コードＣ１が撮像部２２により撮像される（Ｓ６０９）。そして、撮像した情報伝達用コードＣ１を解読（デコード）することで上記決済情報が取得され（Ｓ６１１）、このように取得された決済情報がＰＯＳレジスタ等を介して決済サーバ等に出力されて（Ｓ６１３）、本装置側決済処理が終了する。
【００７４】
以上説明したように、本実施形態に係る情報コード読取システム１０では、情報コード読取装置２０において、発光部２４による情報伝達用間隔での点滅の後に撮像部２２により撮像された情報コードが解読されることで上記決済情報が取得される。そして、携帯端末３０では、撮像部３２の撮像結果に基づいて発光部２４の点滅間隔が計測され、この計測された点滅間隔が上記情報伝達用間隔とみなされると、情報伝達用コードＣ１を表示させるように表示部３３が制御される。
【００７５】
これにより、携帯端末３０では、撮像部３２により上記情報伝達用間隔にて点滅している発光部２４が撮像されない限り情報伝達用コードＣ１が表示されることもないので、不要に情報伝達用コードＣ１が表示されることを防止することができる。したがって、画面表示される情報コードを用いた情報の伝達に関してセキュリティ性を高めることができる。
【００７６】
なお、本発明は上記各実施形態等に限定されるものではなく、例えば、以下のように具体化してもよい。
（１）情報コード読取装置２０では、設定用コードを読み取ることで上記情報伝達用間隔が取得されることに限らず、予め取得されて記憶部２６に記憶されてもよい。
【００７７】
（２）情報コード読取装置２０における装置側決済処理では、設定用コードの読み取り失敗回数が所定回数以上となると、設定用コードの読み取りの失敗に関する報知を行うようにしてもよい。
【００７８】
（３）上記第２実施形態における端末側決済処理では、表示部３３の表示画面を上記情報伝達用間隔にて点滅させることに限らず、例えば、情報コード読取装置２０の撮像部２２にて撮像可能な発光部を上記情報伝達用間隔にて点滅させてもよい。また、上記第２実施形態における端末側決済処理では、ブザー音の鳴動間隔など外部に出力するその出力間隔を制御可能な出力部を用いて、その出力部の出力間隔を上記情報伝達用間隔としてもよい。この場合には、情報コード読取装置２０では、上記出力部の出力間隔を計測し、この計測された間隔が上記情報伝達用間隔と一致するとみなされるか否かについて判定することができる。
【００７９】
（４）上記第３実施形態における装置側決済処理では、発光部２４を上記情報伝達用間隔にて点滅させることに限らず、例えば、ブザー音の鳴動間隔など外部に出力するその出力間隔を制御可能な出力部を用いて、その出力部の出力間隔を上記情報伝達用間隔としてもよい。この場合には、携帯端末３０では、上記出力部の出力間隔を計測し、この計測された間隔が上記情報伝達用間隔と一致するとみなされるか否かについて判定することができる。
【００８０】
（５）本発明は、上述したような決済システムに利用されることに限らず、情報コード表示端末に表示される情報コードを利用して所定の情報を情報コード読取装置に伝達するシステムであれば採用することができる。
【符号の説明】
【００８１】
１０…情報コード読取システム
２０…情報コード読取装置
２１…制御部（装置側計測部，解読部）
２２…撮像部（装置側撮像部）
２４…発光部（装置側点滅部，要求部）
３０…携帯端末（情報コード表示端末）
３１…制御部（端末側計測部）
３２…撮像部（端末側撮像部）
３３…表示部（端末側点滅部）
Ｃ１…情報伝達用コード
Ｃ２，Ｃ３…ダミーコード（他の情報コード）
【図１】
2018163591.tif 000003
【図２】
2018163591.tif 000004
【図３】
2018163591.tif 000005
【図４】
2018163591.tif 000006
【図５】
2018163591.tif 000007
【図６】
2018163591.tif 000008
【図７】
2018163591.tif 000009
【図８】
2018163591.tif 000010
【図９】
2018163591.tif 000011
【図１０】
2018163591.tif 000012
【図１１】
2018163591.tif 000013